(57)【要約】【課題】枠組足場の組立ておよび解体に先行して枠組足場の上方および下方に自由に移動できるようにした移動式手摺枠を提供する。【解決手段】建枠１の建地１ａに添わせて垂直に設置された複数のガイドレール２，２と、隣接するガイドレール２，２間にその上下方向に移動自在に設置された手摺枠本体３とから構成する。手摺枠本体３にガイドレール２，２に設けられたストッパー挿入孔２ｃと係合および離脱可能な固定ストッパー９と当該固定ストッパー９を操作する操作ハンドルを設ける。操作ハンドルは枠組足場の床面より高い位置に設けられた操作ハンドル１０ｃと当該操作ハンドル１０ｃの下方に設けられた操作ハンドル１０ｄの２個を設ける。操作ハンドル１０ｄはリンク機構１０を介して固定ストッパー９に取り付ける。操作ハンドル１０ｃは垂直ロッド１０ｂ，１０ｂを介してリンク機構１０に取り付ける。【選択図】  図７
2008082164.tif 000002
【特許請求の範囲】
【請求項１】
複数の建枠を所定間隔おきにかつ複数段に設置して構成された枠組足場に、当該枠組足場の組立ておよび解体に先行して上下移動するように設置される枠組足場の移動式手摺枠において、前記建枠の建地に添わせて垂直に設置された複数のガイドレールと、隣接する前記ガイドレール間にその上下方向に移動自在に設置された手摺枠本体とから構成され、前記手摺枠本体に前記ガイドレールに設けられた係合部と係合および離脱可能な固定ストッパーと当該固定ストッパーを操作する操作ハンドルが設けられ、かつ前記操作ハンドルの上下方向の位置が前記枠組足場の床面より高い位置にリンク機構を介して、前記固定ストッパーに取り付けられてなることを特徴とする枠組足場の移動式手摺枠。
【請求項２】
複数の建枠を所定間隔おきにかつ複数段に設置して構成された枠組足場に、当該枠組足場の組立ておよび解体に先行して上下移動するように設置される枠組足場の移動式手摺枠において、前記建枠の建地に添わせて垂直に設置された複数のガイドレールと、隣接する前記ガイドレール間にその上下方向に移動自在に設置された手摺枠本体とから構成され、前記手摺枠本体に前記ガイドレールに設けられた係合部と係合および離脱可能な固定ストッパーと当該固定ストッパーを操作する操作ハンドルが設けられ、前記操作ハンドルは前記枠組足場の床面より高い位置に設けられた上部操作ハンドルと当該上部操作ハンドルの下方に設けられた下部操作ハンドルの２個であって、前記下部操作ハンドルはリンク機構を介して前記固定ストッパーに取り付けられ、前記上部操作ハンドルは垂直ロッドを介して前記リンク機構に取り付けられてなることを特徴とする枠組足場の移動式手摺枠。
【請求項３】
手摺枠本体に当該手摺枠本体の落下を防止する落下防止ストッパーが設けられてなることを特徴とする請求項１または２記載の枠組足場の移動式手摺枠。
【請求項４】
手摺枠本体に隣接するガイドレール間に水平に架け渡される下枠が設けられ、当該下枠内にその長手方向にスライドすることにより前記ガイドレールに係合部として設けられたストッパー挿入孔と係合および係脱可能な固定ストッパーが設けられてなることを特徴とする請求項１〜３のいずれかに記載の枠組足場の移動式手摺枠。
【請求項５】
手摺枠本体はその上下方向の任意の位置より上の部分または下の部分が揺動可能に構成されてなることを特徴とする請求項１〜４のいずれかに記載の枠組足場の移動式手摺枠。
【請求項６】
手摺枠本体の両端部にガイドレールとその長手方向にスライド自在に係合するガイド部材が設けられてなることを特徴とする請求項１〜５のいずれかに記載の枠組足場の移動式手摺枠。
【請求項７】
ガイド部材は回転およびスライド自在な可動部を備えてなることを特徴とする請求項６記載の枠組足場の移動式手摺枠。
【請求項８】
ガイドレールは複数に分割して形成され、かつそれぞれが接続および切り離しできるように形成されてなることを特徴とする請求項１〜７のいずれかに記載の枠組足場の移動式手摺枠。
【発明の詳細な説明】
【技術分野】
【０００１】
本願発明は枠組足場の移動式手摺枠に関し、枠組足場の組立ておよび解体に先行して枠組足場の上方および下方に移動できるようにした先行式手摺枠として開発されたものである。
【背景技術】
【０００２】
従来、建物の新築、解体またはリフォーム等の工事に際しては、例えば図１２（ｉ）に図示するような枠組足場が高所作業用として広く使用されている。この種の枠組足場は軸組となる複数の建枠２０と作業床となる複数の布枠２１、さらに補強部材となるブレース２２等から作業足場の主要部が構成されている。
【０００３】
建枠２０は２本の建地２０ａ，２０ａとこの建地２０ａ，２０ａの上端部間に設置された横地２０ｂとからほぼ門形（鳥居形）状に形成されたユニット材で、工事中の建物Ａの外周に所定間隔おきに建て付けられ、かつ上下を差し込む等して複数段に組み上げられている。また、布枠２１は各段の建枠２０の横地２０ｂ，２０ｂ間に架け渡されている。
【０００４】
ところで、枠組足場の組立てに際しては、建枠２０と布枠２１を一段一段上に順に組み上げ、解体に際しては一段一段上から下へ順に建枠２０と布枠２１を解体して撤去するが、例えば図１２（ii）に図示するように、いずれの作業も最上段の高所で作業員の手によってなされるため、作業中の転落事故などから作業員の安全を図る必要があり、そのため枠組足場には手摺り枠を設置する等の安全措置がとられている。
【０００５】
【特許文献１】国際公開第９７／１０３９９号パンフレット
【特許文献２】特開２０００−１７８２９号公報
【特許文献３】特開２００１−８１９５８号公報
【発明の開示】
【発明が解決しようとする課題】
【０００６】
この場合の手摺り枠は枠組足場の最下段から最上段まで、各段および各スパンごとに個々に取り付けられているため、手摺り枠だけでも膨大な量になりその取り付けと取り外しが非常に煩わしいだけでなく、手摺り枠を含む足場材の管理が煩雑になり、さらに手摺り枠の取り付けおよび取り外しの作業中に手摺り枠を落下させてしまう等の課題があった。
【０００７】
また、手摺り枠を上下方向に移動して盛り代えできるように、手摺り枠を枠組足場の上下方向に移動できるようにしたタイプの手摺りも開発されているが、この場合の手摺り枠は枠組足場の建地に直接取り付けられ、建地が手摺り枠を上下移動させる際のガイドレールを兼ねている。
【０００８】
しかし、この種の枠組足場の組立ては、一般に熟練した作業員が行ってもその組立精度にも限界があり、また使用機材の中に整備不良の機材が混在していたりすると、組立精度はさらに落ちるため、このような組立精度の悪い建枠の建地に取り付けられたガイドレールは、当然にガイドレール間の間隔、平行度は落ちるため、手摺り枠をスムーズに上下移動できない等の課題があった。
【０００９】
さらに、ガイドレールは建枠の建地と一体に形成されているため、ガイドレールの付いていない既存の建枠からなる枠組足場には全く使用できない等の課題もあった。
【００１０】
本願発明は以上の課題を解決するためになされたもので、枠組足場の組立ておよび解体に先行して手摺枠を自由に上下移動できるようにした枠組足場の移動式手摺り枠を提供することを目的とする。
【課題を解決するための手段】
【００１１】
請求項１記載の枠組足場の移動式手摺枠は、複数の建枠を所定間隔おきにかつ複数段に設置して構成された枠組足場に、当該枠組足場の組立ておよび解体に先行して上下移動するように設置される枠組足場の移動式手摺枠において、前記建枠の建地に添わせて垂直に設置された複数のガイドレールと、隣接する前記ガイドレール間にその上下方向に移動自在に設置された手摺枠本体とから構成され、前記手摺枠本体に前記ガイドレールに設けられた係合部と係合および離脱可能な固定ストッパーと当該固定ストッパーを操作する操作ハンドルが設けられ、かつ前記操作ハンドルの上下方向の位置が前記枠組足場の床面より高い位置にリンク機構を介して、前記固定ストッパーに取り付けられてなることを特徴とするものである。
【００１２】
請求項２記載の枠組足場の移動式手摺枠は、複数の建枠を所定間隔おきにかつ複数段に設置して構成された枠組足場に、当該枠組足場の組立ておよび解体に先行して上下移動するように設置される枠組足場の移動式手摺枠において、前記建枠の建地に添わせて垂直に設置された複数のガイドレールと、隣接する前記ガイドレール間にその上下方向に移動自在に設置された手摺枠本体とから構成され、前記手摺枠本体に前記ガイドレールに設けられた係合部と係合および離脱可能な固定ストッパーと当該固定ストッパーを操作する操作ハンドルが設けられ、前記操作ハンドルは前記枠組足場の床面より高い位置に設けられた上部操作ハンドルと当該上部操作ハンドルの下方に設けられた下部操作ハンドルの２個であって、前記下部操作ハンドルはリンク機構を介して前記固定ストッパーに取り付けられ、前記上部操作ハンドルは垂直ロッドを介して前記リンク機構に取り付けられてなることを特徴とするものである。
【００１３】
請求項３記載の枠組足場の移動式手摺枠は、請求項１または２記載の枠組足場の移動式手摺枠において、手摺枠本体に当該手摺枠本体の落下を防止する落下防止ストッパーが設けられてなることを特徴とするものである。
【００１４】
この場合の落下防止ストッパーの構造としては、例えば手摺枠本体の両側部に落下防止ストッパーを回転自在またはスライド自在に取り付けるとともに、板ばねやコイルばね等のばね部材の弾発力によってガイドレール側に常時突出するように付勢する一方、ガイドレールの側部にガイドレール側に突出した落下防止ストッパーが係合および係脱可能な係止部として切欠き部またはストッパー挿入孔を設けた構造でよい。
【００１５】
請求項４記載の枠組足場の移動式手摺枠は、請求項１〜３のいずれかに記載の枠組足場の移動式手摺枠において、手摺枠本体に隣接するガイドレール間に水平に架け渡される下枠が設けられ、当該下枠内にその長手方向にスライドすることにより前記ガイドレールに係合部として設けられたストッパー挿入孔と係合および係脱可能な固定ストッパーが設けられてなることを特徴とするものである。
【００１６】
請求項５記載の枠組足場の移動式手摺枠は、請求項１〜４のいずれかに記載の枠組足場の移動式手摺枠において、手摺枠本体はその上下方向の任意の位置より上の部分または下の部分が揺動可能に構成されてなることを特徴とするものである。
【００１７】
このような構成にする方法としては、例えば手摺枠本体の上下方向の任意の位置、例えばほぼ中央部にボルトまたはピン等を用いたヒンジ機構を設けることにより、このヒンジ部を軸にこれより上の部分または下の部分が揺動（傾倒）する構造とすることができる。
【００１８】
このような構成にすることで、組立精度の悪い建枠に取り付けられた垂直度、平行度の落ちるガイドレールの場合であっても、手摺枠本体をガイドレールの傾きに沿わせて上下方向にきわめてスムーズにスライドさせることができる。
【００１９】
請求項６記載の枠組足場の移動式手摺枠は、請求項１〜５のいずれかに記載の枠組足場の移動式手摺枠において、手摺枠本体の両端部にガイドレールとその長手方向にスライド自在に係合するガイド部材が設けられてなることを特徴とするものである。
【００２０】
請求項７記載の枠組足場の移動式手摺枠は、請求項６に記載の枠組足場の移動式手摺枠において、ガイド部材は回転およびスライド自在な可動部を備えてなることを特徴とするものである。
【００２１】
ガイド部材をこのような構成にすることで、手摺枠本体をガイドレールに沿わせて上下方向にスライドさせる際、ガイドレールとの摩擦抵抗を受けることなく手摺枠本体をきわめてスムーズに上下移動させることができる。
【００２２】
請求項８記載の枠組足場の移動式手摺枠は、請求項１〜７のいずれかに記載の枠組足場の移動式手摺枠において、ガイドレールは複数に分割して形成され、かつそれぞれが接続および切り離しできるように形成されてなることを特徴とするものである。
【発明の効果】
【００２３】
本願発明は以上説明したとおりであり、特に手摺枠本体が建枠の建地に沿って設置されたガイドレール間をその上下方向に自由にスライドし、かつ手摺枠本体にはガイドレールに設けられた係合部と係合および係脱するストッパーが設けられているため、枠組足場の組立ておよび解体に際し、手摺枠本体の上下移動を建枠の組立ておよび撤去に先行して行うことで、枠組足場の組立ておよび解体作業中、ガイドレールと手摺枠本体とからなる手摺りによって作業員の安全を常に確保することができる。
【００２４】
また、手摺枠本体の両端部にガイドレールとその長手方向にスライド自在に係合するガイド部材が設けられているので、手摺枠本体の上下移動をきわめてスムーズに行うことができる。
【００２５】
また、ガイドレールは複数に分割して形成され、かつそれぞれが接続および切り離しできるように形成されているので、ガイドレールを継ぎ足して長さを延長することで複数段の高い枠組足場にも自由に対応でき、さらに手摺枠本体を自由に上下移動できることにより、一段分の手摺枠本体を設置するだけでよいので、手摺枠本体の数量が大幅に減って管理がし易くなり、しかもきわめて経済的である。
【００２６】
また、落下防止ストッパーが取り付けられていることで、枠組足場の組立および解体作業中に手摺枠を誤って落下させてしまう等の事故を未然に防止できる効果がある。
【００２７】
また、手摺枠本体は、建枠の建地とは別に建地に取り付けられたガイドレール間に取り付けられているので、ガイドレールの取り付けが可能であれば既存の枠組足場の手摺り枠としても利用できるため、利用範囲がきわめて広く実用性が大いに期待できる。
【発明を実施するための最良の形態】
【００２８】
図１〜図１１は、この発明に係る枠組足場の移動式手摺枠の一例を示し、図において、複数の建枠１が枠組足場の軸組として建物Ａの外周に複数スパンおよび複数段に組み上げられている。
【００２９】
また、各建枠１の後踏み側（道路側）の建地１ａにガイドレール２が建地１ａに沿って垂直にそれぞれ建て付けられ、また各ガイドレーレ２，２間に手摺枠本体３がそれぞれ取り付けられている。なおここで、建物Ａ側の前踏み側に対してその反対側を後踏み側（道路側）という。
【００３０】
ガイドレーレ２は中空の矩形断面形に形成され、かつその両側（枠組足場のスパン方向の両側）にガイド片２ａ，２ａとストッパー挿入孔２ｃがそれぞれ形成され、またガイドレール２のほぼ中間部と下端部に建枠１の幅方向（横地１ｂの長手方向）に貫通する取付孔２ｂと２ｄがそれぞれ形成されている。なお、この場合の取付孔２ｄは後述する固定金具（クランプ）５を取り付けるための孔であり、取付孔２ｂは後述する固定金具４を取り付けるための孔である。
【００３１】
ガイド片２ａ，２ａはガイドレール２の上下方向に連続して形成され、ストッパー挿入孔２ｃはガイドレール２のほぼ中間部に形成されている。また、ガイドレール２の上端部にほぞ（継手）２ｅが突設されている。
【００３２】
このように形成されたガイドレール２は複数、各建枠１の建地１ａの外側に枠組足場の最下段より最上段まで連ねて立設され、かつ下側ガイドレール２のほぞ２ｅが上側ガイドレール２の下端部の中空部に挿入されていることで、上下のガイドレール２どうしが互いに接続され、係る構成により複数のガイドレール２から枠組足場の最下段から最上段まで連続する一本のガイドレールが形成されている。
【００３３】
また、各ガイドレール２の中間部は固定金具４によって建地１ａの上端部に固定され、下端部は固定金具５によって建地１ａの中間部に固定されている。
【００３４】
固定金具４はリング状をなし、建地１ａの上端部（横地１ｂとの連結部より上の部分）が貫通している固定部４ａと、この固定部４ａの一端からガイドレール２側に水平に突出し、ガイドレール２の取付孔２ｂを貫通している雄ねじ部４ｂとから形成され、雄ねじ部４ｂの先端部に固定ナット６が締め付けられていることで各ガイドレール２の中間部が建地１ａの上端部に固定されている。
【００３５】
なお、この場合の固定金具４は、リング状の固定部４ａが横地１ｂに係止されていることで、落下することなく建地１ａの上端部に固定されている。
【００３６】
また、図４(iii) は、固定金具の変形例を示し、特に固定部４ａが側方に開口するＵ字状に形成されている。固定部４ａがこのように形成されていることで、上下の建地１ａが連結されたままの状態でも、固定金具４の取付および取り外しを行うことができる。
【００３７】
固定金具５はクランプであり、建地１ａの下端部に取り付けられ、この固定金具５にガイドレール２の取付孔２ｄを貫通した固定ボルト７が締め付けられていることで、各ガイドレール２の下端部が建地１ａの中間部に固定されている。
【００３８】
手摺枠本体３は、隣接するガイドレール２，２間に水平に架け渡された下枠３ａと、この下枠３ａの両端部にガイドレール２に近接してそれぞれ立設された手摺柱３ｂ，３ｂと、この手摺柱３ｂ，３ｂの上端部間に架け渡された手摺杆３ｃ等からに矩形枠状に形成されている。
【００３９】
下枠３ａ、手摺柱３ｂおよび手摺杆３ｃはいずれも中空断面形に形成され、特に下枠３ａの両端部と手摺柱３ｂの上端部には、ガイドレール２側に水平に突出するガイド部材８がそれぞれ突設され、各ガイド部材８にはガイドレール２のガイド片２ａ，２ａと係合するガイド溝８ａがそれぞれ形成されている。
【００４０】
また、下枠３ａの中間部より両側には、中間部から両端のガイド部材８にかけて連続する棒状の固定ストッパー９が下枠３の長手方向にスライド自在にそれぞれ挿通されている。
【００４１】
固定ストッパー９は下枠３ａ内にあってガイドレール２側にスライドすると同時に、先端部９ａがガイド溝８ａ内に突出してガイドレール２のストッパー挿入孔２ｃに挿入するようになっており、また反対側にスライドすることで先端部９ａはストッパー挿入孔２ｃから外れるようになっている。
【００４２】
さらに固定ストッパー９は、図７(i) ，(ii)に図示するように、リンク機構１０を備えた操作ハンドルによって操作できるように構成されている。
【００４３】
リンク機構１０は、ほぼＬ字状に形成され、その一端側が固定ストッパー９の端部にそれぞれ連結され、かつ手摺枠本体３に固定ストッパー９が水平にスライドすると同時に自在に回転するようにピン着された二個の回転体１０ａと、この回転体１０ａの他端側に連結され、回転体１０ａの回転とともに自在に上下移動するように取り付けられた二本の垂直ロッド１０ｂ，１０ｂと、この垂直ロッド１０ｂ，１０ｂの上端部間と下端部間にそれぞれ取り付けられた操作ハンドル１０ｃ，１０ｄとから構成されている。
【００４４】
そして、操作ハンドル１０ｃまたは操作ハンドル１０ｄを持って上下に上げ下げすると、二本の垂直ロッド１０ｂ，１０ｂが上下移動し、これに伴い回転体１０ａ，１０ａが回転し、これにより両側の固定ストッパー９，９が水平にスライドして先端部９ａがガイド溝８ａ内に突出してガイドレール２のストッパー挿入孔２ｃに挿入されるようになっており、また反対側にスライドすることで先端部９ａはストッパー挿入孔２ｃから外れるようになっている。
【００４５】
このように構成されていることで、手摺枠本体３を上昇させるときは操作ハンドル１０ｃまたは１０ｄを上に少し持ち上げ、また手摺枠本体３を下昇させるときも操作ハンドル１０ｃまたは１０ｄを上に少し持ち上げることにより、固定ストッパー９とストッパー挿入孔２ｃとの係合および係脱をワンタッチで行うことが可能となり、移動式手摺枠の移動（盛り変え）をきわめてスムーズに行うことができる。
【００４６】
また図８は、手摺枠本体３の両側部に落下防止ストッパー１１，１１を取り付けることで、固定ストッパー９を解除した際の手摺枠本体３の落下事故を未然に防止し、手摺枠本体３を上げ下げする際の作業の安全を図ったものである。
【００４７】
この場合の落下防止ストッパー１１は、手摺枠本体３の手摺柱３ｂ，３ｂの下端部にそれぞれ回転自在に取り付けられ、かつＵ字状の板ばね１２によって下端部１１ａがガイドレール２側に回転するように常に付勢されている。
【００４８】
また、ガイドレール２の側部に落下防止ストッパー１１の下端部１１ａが係合可能な切欠き部２ｆが形成されている。そして、手摺枠本体３が誤って落下した際に、落下防止ストッパー１１の下端部１１ａが左右ガイドレール２の切欠き部２ｆに係合することで、手摺枠本体３の落下を途中で止めることができる。
【００４９】
図９〜図１１は、さらに手摺枠本体３のほぼ中間部にヒンジ機構１３を設けて、手摺枠本体３をこのヒンジ部（ヒンジ機構１３を有する部分）を軸に一定角度の範囲で揺動（傾倒）自在に形成し、かつ各ガイド部材８，８を回転かつ伸縮自在に取り付けることにより、ガイドレール２，２に少々の傾き等があったとしても、これを簡単に吸収しながら手摺枠本体３を上下方向にスムーズにスライドさせることができる。
【００５０】
この場合のヒンジ機構１３は、手摺枠本体３の両端手摺柱３ｂ，３ｂおよびその間に立設された手摺柱３ｄ，３ｄのほぼ中間部に設けられ、各手摺柱３ｂおよび３ｄはこのヒンジ部を軸に手摺枠本体３の面外方向に一定角度の範囲で揺動（傾倒）自在に形成されている。
【００５１】
なお、ヒンジ機構１３は手摺柱３ｂと３ｄをそれぞれヒンジ部より上側部分と下側部分の２部材から形成し、この２部材を連結ボルト１３ａによって回転自在に連結することにより形成され、連結ボルト１３ａがヒンジになっている。
【００５２】
またガイド部材８は、ガイド溝８ａを有する可動部８ｂと手摺柱３ｂに固定された固定部８ｃと可動部８ｂを固定部８ｃに連結する連結ボルト８ｄとから形成され、可動部８ｂは連結ボルト８ｄの周方向に自由に回転し、かつ連結ボルト８ｄの軸方向に自由に移動するようになっている。
【００５３】
ガイド部材８がこのように構成されていることにより、手摺枠本体３をガイドレール２に沿わせて上下方向にスライドさせる際、ガイドレール２との摩擦抵抗を受けることなく手摺枠本体３をきわめてスムーズに上下移動させることができる。
【００５４】
次に、枠組足場の組立てに際してのガイドレール２および手摺枠本体３の取り扱い方法を説明する。
【００５５】
(1) 組立て中の枠組足場の最上段において、その床面上に建て付けられた建枠１の後踏み側（道路側）の各建地１ａの外側にガイドレール２をそれぞれ建て付ける。この場合、ガイドレール２は中間部より上部分を建地１ａの上方に延長させて垂直に建て付ける。そして下端部に、既に取り付けられている下側ガイドレール２の上端部に突設されているほぞ２ｅを挿入することにより下側のガイドレール２と接続する。また、中間部を建地１ａの上端部に固定金具４によって固定し、下端部を建地１ａの中間部に固定金具５によって固定する。
【００５６】
(2) 次に、最上段の作業足場または最下段の作業足場より手摺枠本体３の固定ストッパー９を解除した状態で、手摺枠本体３をガイドレール２に取り付け、次に手摺枠本体３の上のガイドレール２をセットする。
【００５７】
(3) 次に、最上段の建枠１の上方に延長させて建て付けられたガイドレール２，２間まで手摺枠本体３をスライドさせて移動する。そして、このガイドレール２，２間に手摺枠本体３を改めて固定する。この場合、固定ストッパー９をガイドレール２側にスライドさせて先端部９ａをストッパー挿入孔２ｃに挿入することで、手摺枠本体３はガイドレール２，２間に固定される。
【００５８】
(4) そして、手摺枠本体３を移動した上の段の建枠１を組み上げる。
【００５９】
以下同様にして、ガイドレール２の延長と手摺枠本体３の移動を建枠１の組み上げに先行して行うことにより、ガイドレール２，２と手摺枠本体３とからなる手摺りによって、常に作業員の安全が確保された状態で枠組足場の組立てを行うことができる。
【００６０】
次に、枠組足場の解体に際してのガイドレール２および手摺枠本体３の取り扱い方法を説明する。
【００６１】
(1) 解体中の枠組足場の最上段において、その床面上に建て付けられた建枠１の上方に延長して建て付けられているガイドレール２，２間の手摺枠本体３の固定を解除する。
【００６２】
(2) 次に、ガイドレール２，２間をスライドさせて手摺枠本体３を最上段の次の床面まで移動させる。そして、その位置に手摺枠本体３を再び固定する。
【００６３】
(3) 次に、最上段の床面上に建て付けられた建枠１の上方に延長して建て付けられているガイドレール２を撤去する。この場合、固定金具５を取り外してガイドレール２の下端部を建地１ａから切り離した後、ガイドレール２を上に軽く持ち上げることで、固定金具４の固定部４ａが建地１ａの上端部から抜けるため、ガイドレール２は簡単に取り外すことができる。
【００６４】
(4) 次に、ガイドレール２，２と手摺枠本体３とからなる手摺りを安全柵として最上段の建枠１を撤去する。
【００６５】
以下同様にして、手摺枠本体３の移動とガイドレール２の撤去を建枠１の撤去に先行して行うことにより、ガイドレール２，２と手摺枠本体３とからなる手摺りにより、常に作業員の安全が確保された状態で枠組足場の解体撤去を行うことができる。
【図面の簡単な説明】
【００６６】
【図１】枠組足場および移動式手摺枠の一部斜視図である。
【図２】ガイドレールを示し、(i),(iv)はその側面図、(ii)はその正面図、(iii) はその横断面図である。
【図３】移動式手摺枠を示し、(i) はその正面図、(ii)はその側面図である。
【図４】(i) は図３(ii)におけるイ部拡大図、(ii), (iii) は固定金具の他の実施例を示す断面図である。
【図５】(i) は手摺枠本体が固定された状態の図３(i) におけるニ部拡大横断面図、(ii)は手摺枠本体の固定が解除された状態の図３(i) におけるニ部拡大縦断面図である。
【図６】(i) は図３(i) におけるホ部拡大横断面図、(ii)はその拡大側面図である。
【図７】(i) は手摺枠本体の正面図、(ii)はその一部拡大正面図である。
【図８】(i) は手摺枠本体の正面図、(ii)，(iii) はその一部拡大正面図である。
【図９】揺動部を設けた手摺枠本体の正面図である。
【図１０】(ｉ)は手摺枠本体の揺動状態を示す一部側面図、(ii)はその一部正面図である。
【図１１】ガイド部材の一例を示し、(i) はその組立てまたは使用時の一部破断平面図、(ii)はその一部側面図、(iii) はその一部破断正面図である。
【図１２】枠組足場の一例を示し、(i) はその一部斜視図、(ii)はその正面図である。
【符号の説明】
【００６７】
１ 建枠
１ａ 建地
１ｂ 横地
２ ガイドレール
２ａ ガイド片
２ｂ ストッパー挿入孔
２ｃ 取付孔
２ｄ 取付孔
２ｅ ほぞ（継手）
３ 手摺枠本体
３ａ 下枠
３ｂ 手摺柱
３ｃ 手摺杆
４ 固定金具
４ａ 固定部
４ｂ 雄ねじ部
５ 固定金具
６ 固定ナット
７ 取付ボルト
８ ガイド部材
８ａ ガイド溝
８ｂ 可動部
８ｃ 固定部
８ｄ 連結ボルト
９ 固定ストッパー
９ａ ストッパーの先端部
１０ リンク機構
１０ａ 回転体
１０ｂ 垂直ロッド
１０ｃ 操作ハンドル
１０ｄ 操作ハンドル
１１ 落下防止ストッパー
１１ａ 落下防止ストッパーの下端部
１２ 板ばね
１３ ヒンジ機構
１３ａ 連結ボルト
【図１】
2008082164.tif 000003
【図２】
2008082164.tif 000004
【図３】
2008082164.tif 000005
【図４】
2008082164.tif 000006
【図５】
2008082164.tif 000007
【図６】
2008082164.tif 000008
【図７】
2008082164.tif 000009
【図８】
2008082164.tif 000010
【図９】
2008082164.tif 000011
【図１０】
2008082164.tif 000012
【図１１】
2008082164.tif 000013
【図１２】
2008082164.tif 000014